(57)【要約】      （修正有）【課題】看護師等が同じ時間帯等で、多数の患者等の患者の生体情報を取得しても、間違い等が生じ難い生体情報取得装置等を提供する。【解決手段】生体情報計測装置と通信可能な距離となったときに、通信を開始する通信部と、生体情報計測装置から取得した生体情報を、その患者の識別情報と共に取得し、関連付けて記憶する生体関連情報記憶部と、各種情報を表示する表示部１１と、を備え、少なくとも、生体関連情報の生体情報を識別情報と共に、表示部に表示する生体情報計測装置３０が計測した患者の生体情報を取得するための生体情報取得装置１０。【選択図】図１
2014068696.tif 000002
【特許請求の範囲】
【請求項１】
生体情報計測装置が計測した患者の生体情報を取得するための携帯用の生体情報取得装置であって、
制御部と、前記生体情報計測装置と通信可能な距離となったときに通信を開始する通信部と、
前記生体情報計測装置から取得した生体情報を、その患者の識別情報と共に取得し、関連付けて生体関連情報として記憶する生体関連情報記憶部と、各種情報を表示する表示部と、
メモ入力部を備え、
少なくとも、前記生体関連情報の前記生体情報を前記識別情報と共に、前記表示部に表示するように前記制御部で制御し、
前記患者についてのメモ入力がある場合には、メモ情報，次回測定時刻，前記患者の氏名を前記表示部に表示するように制御されることを特徴とする生体情報取得装置。
【請求項２】
前記生体情報取得装置は、その形状が扁平の小型のカード状を成し、前記生体情報計測装置との通信を行うための非接触ＩＣ（Ｉｎｔｅｇｒａｔｅｄ  Ｃｉｒｃｕｉｔ）（集積回路）を備えていることを特徴とする請求項１に記載の生体情報取得装置。
【請求項３】
前記表示部に表示される前記識別情報が患者の氏名情報であることを特徴とする請求項１又は請求項２に記載の生体情報取得装置。
【請求項４】
前記生体情報は、その計測した時刻情報と共に、前記表示部に表示されることを特徴とする請求項１乃至３のいずれか１項に記載の生体情報取得装置。
【請求項５】
前記生体情報計測装置と、
前記生体情報取得装置と、を備える生体情報取得システムであって、
前記生体情報計測装置は、その計測した患者の前記生体情報を前記生体情報取得装置に送信する前に、当該前記生体情報取得装置が権限を有する前記生体情報取得装置であるか否かを判断する構成となっていることを特徴とする請求項１乃至請求項４のいずれか１項に記載の生体情報取得装置を有する生体情報取得システム。
【請求項６】
前記生体情報計測装置は、計測装置側計時部を有し、前記生体情報取得装置は、前記計測装置側計時部の時刻情報を修正する構成となっていることを特徴とする請求項５に記載の生体情報取得システム。
【請求項７】
生体情報計測装置が計測した患者の生体情報を取得する生体情報取得方法であって、
通信部が、前記生体情報計測装置と通信可能な距離となったときに通信を開始し、
前記生体情報計測装置から取得した生体情報を、その患者の識別情報と共に取得し、関連付けて生体関連情報として生体関連情報記憶部とに記憶し、
少なくとも、前記生体関連情報の前記生体情報を前記識別情報と共に、各種情報を表示する表示部に表示し、前記患者についてのメモ入力部へのメモ入力がある場合には、メモ情報，次回測定時刻，前記患者の氏名を前記表示部に表示する構成となっていることを特徴とする生体情報取得方法。
【発明の詳細な説明】
【技術分野】
【０００１】
本発明は、例えば、病院等で体温等の生体情報を電子体温計等で計測する複数の患者からそれぞれ生体情報を取得する看護師等が使用する生体情報取得装置、生体情報取得システム及び生体情報取得方法に関するものである。
【背景技術】
【０００２】
従来より、病院等の医療機関において、患者の生体情報である例えば、体温を計測する際には、各患者が電子体温計を使用し、ほぼ同じ時間帯に一斉に複数の患者が電子体温計で体温を計測し、看護師等が各患者のベッド等を回り、その検温結果を取得するのが一般的な方法となっている（例えば、特許文献１）。
【先行技術文献】
【特許文献】
【０００３】
【特許文献１】特許３７５９７８４号公報
【発明の概要】
【発明が解決しようとする課題】
【０００４】
しかし、同じ時間帯に一斉に看護師等が多数の患者のベッド等を回り、体温等の生体情報を取得する作業を行うと、混乱等が生じて、各患者の生体情報を正確に取得することができないおそれがあるという問題があった。
【０００５】
そこで、本発明は、看護師等が同じ時間帯等で、多数の患者等の患者の生体情報を取得しても間違い等が生じ難い生体情報取得装置、生体情報取得システム及び生体情報取得方法を提供することを目的とする。
【課題を解決するための手段】
【０００６】
上記目的は、本発明にあっては、生体情報計測装置が計測した患者の生体情報を取得するための携帯用の生体情報取得装置であって、制御部と、前記生体情報計測装置と通信可能な距離となったときに通信を開始する通信部と、前記生体情報計測装置から取得した生体情報を、その患者の識別情報と共に取得し、関連付けて生体関連情報として記憶する生体関連情報記憶部と、各種情報を表示する表示部と、メモ入力部を備え、少なくとも、前記生体関連情報の前記生体情報を前記識別情報と共に、前記表示部に表示するように前記制御部で制御し、前記患者についてのメモ入力がある場合には、メモ情報，次回測定時刻，前記患者の氏名を前記表示部に表示するように制御されることを特徴とする生体情報取得装置により達成される。
【０００７】
前記構成によれば、生体情報計測装置が計測した患者の生体情報を、患者の識別情報と共に、表示部に表示する構成となっているので、生体情報取得装置を携帯している看護師等は、例えば、患者等の患者の体温等の生体情報を表示部で確認しながら取得することができる。このため、例えば、同じ時間帯に多数の患者等の体温等の情報を取得する場合でも、患者等と体温等の対応が不明になる等の間違いが生じ難い。
【０００８】
好ましくは、前記生体情報取得装置は、その形状が扁平の小型のカード状を成し、前記生体情報計測装置との通信を行うための非接触ＩＣ（Ｉｎｔｅｇｒａｔｅｄ  Ｃｉｒｃｕｉｔ）（集積回路）を備えていることを特徴とする。
【０００９】
前記構成によれば、生体情報取得装置は、その形状が扁平の小型のカード状を成している。このため、この生体情報取得装置を携帯する例えば、看護師等はその服のポケット等に、生体情報取得装置を入れて持ち運ぶことができ、極めて扱い易い形状となっている。
また、生体情報取得装置は、生体情報計測装置との通信を行うための非接触ＩＣを備えている。このため，使用者である看護師等は、カード状の生体情報取得装置を、そのポケット等から取り出して、生体情報計測装置に近接させるだけで自動的に通信を開始することができる。したがって、多数の患者等が保持している多数の生体情報計測装置から特定の時間帯に一斉に体温等の生体情報を取得する際には、効率的にかかる生体情報を取得することができる。
【００１０】
好ましくは、前記表示部に表示される前記識別情報が患者の氏名情報であることを特徴とする。
【００１１】
前記構成によれば、表示部に表示される識別情報が患者の氏名情報であるので、その表示を視認した看護師等の使用者は、番号等と異なり、患者である患者等をより明確に識別し易く、看護師等が多数の患者等の生体情報を処理する場合でも間違いが生じ難い。
【００１２】
好ましくは、前記生体情報は、その計測した時刻情報と共に、前記表示部に表示されることを特徴とする。
【００１３】
前記構成によれば、生体情報は、その計測した時刻情報と共に、表示部に表示されるので、この表示部を視認した看護師等の使用者は、生体情報をより正確に把握することができる。
【００１４】
好ましくは、前記生体情報計測装置と、前記生体情報取得装置と、を備える生体情報取得システムであって、前記生体情報計測装置は、その計測した患者の前記生体情報を前記生体情報取得装置に送信する前に、当該前記生体情報取得装置が権限を有する前記生体情報取得装置であるか否かを判断する構成となっていることを特徴とする。
【００１５】
前記構成によれば、生体情報計測装置は、その計測した患者の前記生体情報を前記生体情報取得装置に送信する前に、当該前記生体情報取得装置が権限を有する前記生体情報取得装置であるか否かを判断する構成となっているので、権限のない生体情報計測装置に誤って前記生体情報を送信することがない。
【００１６】
好ましくは、前記生体情報計測装置は、計測装置側計時部を有し、前記生体情報取得装置は、前記計測装置側計時部の時刻情報を修正する構成となっていることを特徴とする。
【００１７】
前記構成によれば、生体情報計測装置は、計測装置側計時部を有し、生体情報取得装置は、計測装置側計時部の時刻情報を修正する構成となっているので、計測装置側計時部の時刻情報の狂いを適宜修正するので、生体情報計測装置が生体情報を計測した時刻情報を常に正確な状態とすることができる。
【００１８】
前記目的は、本発明にあっては、生体情報計測装置が計測した患者の生体情報を取得する生体情報取得方法であって、通信部が、前記生体情報計測装置と通信可能な距離となったときに通信を開始し、前記生体情報計測装置から取得した生体情報を、その患者の識別情報と共に取得し、関連付けて生体関連情報として生体関連情報記憶部とに記憶し、少なくとも、前記生体関連情報の前記生体情報を前記識別情報と共に、各種情報を表示する表示部に表示し、前記患者についてのメモ入力部へのメモ入力がある場合には、メモ情報，次回測定時刻，前記患者の氏名を前記表示部に表示する構成となっていることを特徴とする生体情報取得方法により達成される。
【発明の効果】
【００１９】
以上説明したように、本発明によれば、看護師等が同じ時間帯等で、多数の患者等の患者の生体情報を取得しても間違い等が生じ難い生体情報取得装置、生体情報取得システム及び生体情報取得方法を提供することができる。
【図面の簡単な説明】
【００２０】
【図１】本発明の生体情報取得システムである例えば、病院内ネットシステムを示す概略図である。
【図２】図１の看護師用カードの主な構成を示す概略ブロック図である。
【図３】図１の電子体温計の主な構成を示す概略ブロック図である。
【図４】患者による体温の計測工程を示す概略フローチャートである。
【図５】患者体温検査工程を示す概略フローチャートである。
【図６】患者体温検査工程を示す他の概略フローチャートである。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の生体情報取得システムである例えば、病院内ネットシステム１を示す概略図である。図１に示すように、病院内ネットシステム１は、生体情報取得装置である例えば、看護師用ＩＣカード１０を有している。
看護師用ＩＣカード１０は、ＩＣ（Ｉｎｔｅｇｒａｔｅｄ  Ｃｉｒｃｕｉｔ）（集積回路）及びアンテナ等を備えており、非接触ＩＣカードとなっている。
すなわち、これらＩＣ及びアンテナ等が、通信部の一例となっている。
また、看護師用ＩＣカード１０は、図１に示すように、表示部である例えば、カード側ディスプレイ１１を有している。
そして、看護師用ＩＣカード１０は、全体が扁平な板状の小型のカードとなり、看護師等が制服等のポケット等に容易に収容できる形状となっている。
【００２３】
また、病院ネットシステム１は、図１に示すように、生体情報計測装置である例えば、電子体温計３０、パルスオキシメータ５０、電子血圧計６０、血糖計７０等を有している。
すなわち、電子体温計３０は、患者である例えば、患者の生体情報である例えば、体温を計測する医療機器である。また、パルスオキシメータ５０は、プローブを患者の指先や耳に付けて生体情報である例えば、脈拍数、経皮的動脈血酸素飽和度（ＳｐＯ２）をモニターする医療機器である。
そして、電子血圧計６０は、患者の生体情報である例えば、血圧値を計測する医療機器であり、血糖計７０は、患者の生体情報である例えば、血糖値を計測する医療機器である。
【００２４】
本実施の形態では、病院内の患者または看護師が、これら電子体温計３０、パルスオキシメータ５０、電子血圧計６０、血糖計７０を使用して、患者の体温、脈拍数等、血圧値、血糖値を計測することとなる。
そして、これら電子体温計３０、パルスオキシメータ５０、電子血圧計６０、血糖計７０は、通信のための「非接触近距離通信装置」をそれぞれ有している。
このため、看護師が所持する上述の看護師用ＩＣカード１０が、これら電子体温計３０等に近接すると、非接触近距離通信が可能となる構成となっている。
【００２５】
したがって、本実施の形態では、病院内で体温等を計測した患者の元に、看護師が訪問し、その計測結果を電子体温計３０等から取得する際に、看護師は、自己の看護師用ＩＣカード１０を電子体温計３０等に近づけるだけで、両者間で自動的に通信が開始され、その生体情報、例えば、体温が看護師用ＩＣカード１０のカード側ディスプレイ１１に表示される構成となっている。
また、このカード側ディスプレイ１１には、当該患者の体温の情報のみならず、その患者の氏名や体温を計測した時刻情報も併せて表示される構成となっている。
【００２６】
したがって、看護師は、多数の患者の体温等の情報を同じ時間帯に一斉に取得しても、各体温と患者との関係が明確となり、間違い等が生じ難いシステムとなっている。
以下、病院内ネットシステム１を、看護師が所持する看護師用ＩＣカード１０と電子体温計３０を例に以下、詳細に説明する。
【００２７】
図１に示す看護師用ＩＣカード１０、電子体温計３０、パルスオキシメータ５０、電子血圧計６０及び血糖計７０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２８】
図２は、図１の看護師用カード１０の主な構成を示す概略ブロック図である。図２に示すように、看護師用ＩＣカード１０は、「看護師用カード制御部１２」を有し、上述のＩＣ及びアンテナ等を含む「カード側通信装置１３」や上述の「カード側ディスプレイ１１」を制御する構成となっている。
また、看護師用カード制御部１２は、各種情報を入力するための「カード側情報入力装置１５」や、時刻情報を生成する「カード側計時装置１６」も制御する構成となっている。
また、看護師用カード制御部１２は、図２に示す各種記憶部や情報処理部（プログラム）等も制御しているが、これらの具体的な内容については、後述する。
【００２９】
図３は，図１の電子体温計３０の主な構成を示す概略ブロック図である。図３に示すように、電子体温計３０は、電子体温計全体の動作・判断を制御する「電子体温計制御部３１」を有し、電子体温計３０への電源のＯＮ／ＯＦＦを行う「電子体温計電源スイッチ３２」，各種情報を表示する「電子体温計側ディスプレイ３３」、各種情報を入力する「電子体温計側情報入力装置３４」や、上述の看護師用ＩＣカード１０と通信するための「非接触近距離通信装置３５」を制御している。
また、電子体温計側制御部３１は、体温を測定する機能を発揮する「電子体温計側本体装置３６」や時刻情報を生成する計測装置側計時部である例えば、「電子体温計側計時装置３７」、「体温情報処理部３９」、「計測体温情報記憶部４０」等も制御する構成となっている。
「電子体温計電源スイッチ３２」は、好ましくはマグネットリードスイッチが用いられ、電子体温計３０がケースに収納されている状態では、マグネットリードスイッチがＯＦＦ状態となっており、電池電源からの各構成要件への電源供給が完全にＯＦＦされた状態となっている。
電子体温計３０がケースから出され、患者の腋下等の測定部位に適正に装着されると、体温計測を開始する状態となり、所定時間（秒）の間に、患者の体温を測定し、表示するとともに、「計測体温情報記憶部４０」に記憶される。
電子体温計３０がケースに収納されない限り、電子体温計３０は、いわゆる、低消費電力での待機モードとなり、動作をし続ける。
なお、電子体温計制御部３１は、図３に示す各種記憶部や情報処理部（プログラム）等を制御しているが、これらの具体的な内容については、後述する。
【００３０】
図４乃至図６は、本発明の実施の形態に係る「病院内ネットシステム１」の動作例を示す概略フローチャートである。
本実施の形態では、看護師が看護師用ＩＣカード１０を所持して、病院内で入院している患者の朝の電子体温計３０による検温結果を取得する場合を例に説明するが、パルスオキシメータ５０、電子血圧計６０及び血糖計７０による測定結果を取得する場合も同様である。
【００３１】
先ず、病院内に入院している患者は、電子体温計３０により、毎朝、ほぼ同じ時刻で体温を計測する（電子体温計３０は、それぞれの患者のベッドサイドに置かれていたり、病室毎に置かれていたり、看護師が携帯したり、患者に貼り付けられていたりする。）。図４は、患者の体温計測工程を示す電子体温計３０の動作の概略フローチャートである。
【００３２】
図４の示すように、先ずステップＳＴ（以下「ＳＴ」とする）１では、看護師用ＩＣカード１０を近接させ、電子体温計３０の図３に示す「電子体温計電源スイッチ３２」がＯＮ状態となっているか否かを判断し、ＯＮ状態であれば、ＳＴ２へ進む。
【００３３】
次に、ＳＴ２では、電子体温計３０の体温計制御部３１は、測温部（不図示）が患者の腋下に適切に装着されか否か判断し（ＳＴ２）、適切に装着されていると判断されると「電子体温計測本体装置３６」が当該患者の体温の体温測定を開始する（ＳＴ３）。
【００３４】
電子体温計制御部３１は当該患者の体温が正確に測定されるか否か判断し（ＳＴ４）、正確に測定された場合、ＳＴ５へ進む。
ＳＴ５では、図３の「体温情報処理部（プログラム）３９」が動作し、「電子体温計測本体装置３６」が測定した体温情報（例えば、３７°Ｃ）と、この体温を計測したときの時刻情報を図３の「電子体温計側計時装置３７」から特定し、これらを関連付け、図３の「計測体温情報記憶部４０」に記憶させる。
【００３５】
電子体温計３０は、体温測定の動作は終了の数値（３７°Ｃ等）と、計測時刻の情報が関連付けられた情報として記憶されることになる。
【００３６】
次いで、ＳＴ６へ進み、体温測定の動作は終了するが、電子体温計３０は、いわゆる、低消費電力での待機モードとなり、後述する看護師用ＩＣカード１０で、体温情報が取得されうる状態となる。
【００３７】
次いで、図５及び図６を用いて、看護師が体温の計測を終了した患者の元に行き、待機モードとなっている電子体温計３０が計測した体温情報を取得する工程を説明する。
図５及び図６は、電子体温計３０で得られた患者の体温情報を取得する工程を示す概略フローチャートである。先ず、看護師は、図１に示す自己の「看護師用ＩＣカード１０」を例えば、白衣等の制服の胸ポケットに入れて、自己が担当する多数の患者の朝の体温データの取得のため、患者の元へ順番に巡回する。
【００３８】
そして、患者の元に到着した看護師は、患者が体温を計測した電子体温計３０に自己の看護師用ＩＣカード１０を近接させる。
ここでは、「近距離通信」の例として、電磁誘導によるデータ送受信について説明するが、例えば、〜１０ｃｍ程度までの近距離の非接触通信手段（例えば、ＩＳＯ／ＩＥＣ  １４４４３の省電力ＩＣ通信技術，ＩＳＯ／ＩＥＣ  １８０９２の通信技術，ＦｅｌｉＣａ（ソニー（株）の登録商標）等の通信技術等も適用できる。ＦｅｌｉＣａの通信技術では、１３．５６ＭＨｚの電波で通信し、１０ｃｍ程度までのごく近距離で非接触に１００〜４００ｋｂｐｓの通信が行なわれる。
すると、図５のＳＴ１１へ進む。ＳＴ１１では、非接触近距離通信装置である、看護師用ＩＣカード１０のカード側通信装置１３と、電子体温計３０の非接触近距離通信装置３５とが通信状態となったか否かを判断する。
【００３９】
ＳＴ１１で、両者が通信状態であると判断したときは、ＳＴ１２に進み、看護師用ＩＣカード１０は、図２の「カード側看護師ＩＤ情報記憶部１７」に記憶されている、当該看護師の「看護師ＩＤ」を電子体温計３０へ送信する。
【００４０】
次いで、ＳＴ１３で、計測体温情報記憶部の計測体温情報を看護師ＩＣカードへ送信する。
【００４１】
次いで、ＳＴ１４へ進む。ＳＴ１４では、看護師用ＩＣカード１０は、電子体温計３０から受信した「計測体温情報」を生体関連情報記憶部である例えば、「カード側計測体温情報記憶部１８」に記憶する。
【００４２】
次いで、ＳＴ１５へ進む。ＳＴ１５では、看護師用ＩＣカード１０の「患者氏名検索処理部（プログラム）１９」が動作して、電子体温計３０から受信した「カード側計測体温情報記憶部１８」の「カード側計測体温情報」に含まれている当該患者の「患者ＩＤ」を抽出し、この「患者ＩＤ」をキーに「患者ＩＤ／氏名対応情報記憶部２０」を検索する。
この「患者ＩＤ／氏名対応情報記憶部２０」には、「患者ＩＤ」に対応する「氏名」の情報が記憶されている。
このため、この「患者ＩＤ」をキーに「患者ＩＤ／氏名対応情報記憶部２０」を検索することで、当該「患者ＩＤ」に対応する患者の「氏名情報」を得ることができる。
【００４３】
このようにして取得した患者の「氏名」を、看護師用ＩＣカード１０の「カード側ディスプレイ１１」に他の「体温情報」、「計測時間情報」、「メモ情報」（例えば、感染症，発熱等）と共に表示する。
【００４４】
したがって、カード側ディスプレイ１１の表示を視認した当該看護師は、当該体温情報の患者を明確に確認できる。このため、朝の検温時間で、同じ時間帯の多数の患者の体温情報を取得しなければならない看護師であっても、患者と体温との対応が不明になる等の混乱を生じることなく、適切且つ迅速に検温手続を処理することができる。
【００４５】
特に、本実施の形態では「カード側ディスプレイ１１」には、患者の氏名とあわせて患患者のＩＤ（ＩＤ番号）も表示されるので、より間違い等が生じ難い構成となっている（図１参照）。
【００４６】
なお、本実施の形態では、患者ＩＤを番号等とし、受信した看護師用ＩＣカード１０が、この番号等を患者の「氏名」に変換していたが、本発明は、これに限らず、電子体温計３０で、当初から識別情報を「氏名」としてデータを作成し、看護師用ＩＤカード１０へ送信する構成としても構わない。
【００４７】
次いで、ＳＴ１６へ進む。ＳＴ１６では、看護師用ＩＣカード１０の図２の「時刻比較処理部（プログラム）２１」が動作して、看護師用ＩＣカード１０が、電子体温計３０の「電子体温計側計時装置３７」から「現在時刻情報」を取得し、図２の「カード側計時装置１６」の「現在時刻情報」と比較する。
【００４８】
そして、ＳＴ１７へ進む。ＳＴ１７では、電子体温計３０から取得した「現在時刻情報」と看護師用ＩＣカード１０の「現在時刻情報」との差が「一定範囲内」であるか否かを判断する。
【００４９】
そして、ＳＴ１７で、時刻の差が「一定範囲内」でない場合は、電子体温計３０の「電子体温計側計時装置３７」の時刻に狂いが生じている判断して、ＳＴ１８へ進む。
【００５０】
ＳＴ１８では、看護師用ＩＣカード１０の「時刻情報修正部（プログラム）２２」等が動作し、電子体温計３０の「電子体温計側計時装置３７」の時刻情報を修正する。
ＳＴ１９では、今回の巡回で、新たな「メモ情報」（例えば、感染症，発熱等）を入力する必要がある場合、「メモ情報」を、各種情報を入力する「カード側情報入力装置１５」で入力し、「メモ情報記憶部２３」に記憶させる(ＳＴ２０)。
以上の工程で、電子体温計３０が計測した患者毎の体温を看護師用ＩＣカード１０に取得する工程は、終了するが、「発熱」、「インフルエンザ」等の「メモ情報」に基づいて、ルーチンの体温測定時刻より短い体温測定間隔となるように、「カード側ディスプレイ１１」に、患者の氏名と合わせて、次回の測定時刻をカード側ディスプレイ（表示部）１１に表示するようにカード制御１２で制御している。
なお、体温読み取り動作を終了した後、一旦、電子体温計３０を収納ケースに収納することで電源スイッチをＯＦＦさせるか、電子体温計３０をアルコール消毒する等した後、待機モードの状態にしておき、次の患者の体温測定に使用する。
【００５１】
以上説明したように、電子体温計３０は、常に、体温の計測の時刻を正確にすることができ、その体温情報の精度を高めることができる。
【００５２】
ところで、本発明は、上述の実施の形態に限定されない。
患者認証方法として、看護師用ＩＣカード１０で、以下のように使用することができる。
・患者の電子タグ（手首に付けている）を読み取る、
・シリアル番号をつけた電子体温計を患者一人ひとりに１本配り、それを患者ＩＤとして利用する、
・患者毎に識別可能にしたＦｅｌｉＣａなどのカードを各患者に配り、患者ＩＤとする
・ベッドに付けてある電子タグを患者ＩＤとして使う
・カードのスイッチで患者を選択する、などが適用可能である。
【００５３】
また、一人の患者の体温情報（時刻情報と対応したもの）を取得し、確定・記憶する毎に、確認キー（確認キー）操作と同時に、外部通信部（不図示）から赤外線通信，２．４５ＧＨｚ帯の電波を利用し、最高２４Ｍｂｐｓの速度でＢｌｕｅｔｏｏｔｈ（Ｂｌｕｅｔｏｏｔｈ  ＳＩＧの登録商標）等の通信技術を用いて、院内無線ＬＡＮを介して、ナースステーションのコンピュータ（管理サーバ）に患者のＩＤ情報とともに送信し、記憶するようにしてもよい。
【００５４】
また、担当の患者全てに対して巡回して、患者の体温情報（時刻情報と対応したもの）を取得し、確定・記憶する毎に、確認キー（確認キー）操作と同時に、外部通信部（不図示）から赤外線通信などにより、院内無線ＬＡＮを介して、ナースステーションの管理サーバに患者のＩＤ情報とともに送信し、記憶するようにしてもよい。
また、訪問看護を行なう看護師が在宅で療養中の各患者に対して、上述のようにして体温情報を取得してもよい。
また、パルスオキシメータ５０により得られた血中酸素飽和度、電子血圧計６０により得られた血圧値（収縮期血圧、拡張期血圧）、血糖計７０により得られた血糖値の取得も上述と同様に行なうことができる。
【符号の説明】
【００５５】
１・・・病院内ネットシステム、１０・・・看護師用ＩＣカード、１１・・・カード側ディスプレイ、１２・・・カード制御部、１３・・・カード側通信装置、１５・・・カード側情報入力装置、１６・・・カード側計時装置、１７・・・カード側看護師ＩＤ情報記憶部、１８・・・カード側計測体温情報記憶部、１９・・・患者氏名検索処理部（プログラム）、２０・・・患者ＩＤ／氏名対応情報記憶部、２１・・・時刻比較処理部（プログラム）、２２・・・時刻情報修正部（プログラム）、３０・・・電子体温計、３１・・・電子体温計制御部、３２・・・電子体温計電源スイッチ、３３・・・電子体温計側ディスプレイ、３４・・・電子体温計側情報入力装置、３５・・・非接触近距離通信装置、３６・・・電子体温計側本体装置、３７・・・電子体温計側計時装置、３９・・・体温情報処理部（プログラム）、４０・・・計測体温情報記憶部
【図１】
2014068696.tif 000003
【図２】
2014068696.tif 000004
【図３】
2014068696.tif 000005
【図４】
2014068696.tif 000006
【図５】
2014068696.tif 000007
【図６】
2014068696.tif 000008